(57)【要約】【課題】バルーンにガスを充填したり、電気的空気吹き込み装置により空気を吹き込むことなく、バルーンを丸く膨らませる。伸縮支柱５の伸縮によりバルーンを膨らませたり、萎めたりする。【解決手段】支軸１２の上端側に設けられた放射状材支持部１７に、放射状材１９の一端側を回動可能なよう放射状に支持させる。可撓性を有する可撓骨材２１の一端部を放射状材１９のうちの一つの先端側に、他端部を放射状材１９の他の一つの先端側に取り付け、湾曲状態とする。バルーン２２内部に放射状材１９および可撓骨材２１を収容し、放射状材１９が可撓骨材２１とともに開き方向に回動されると、バルーン２２が膨らむようにする。伸縮支柱５の伸縮により放射状材１９が開きまたは閉じ方向に回動されるようにする。【選択図】    図８
2004253172.tif 000002
【特許請求の範囲】
【請求項１】
上下方向に延びる支軸と、この支軸の上端側に設けられた放射状材支持部と、それぞれ横方向に延びる回動軸の回りに回動可能なように一端側を前記放射状材支持部に放射状に支持された６個以上の放射状材と、それぞれ可撓性を有しており、一端部を前記放射状材のうちの一つの先端側に、他端部を前記放射状材のうちの他の一つの先端側に取り付けられて湾曲状態とされた可撓骨材と、少なくとも一部が透光性を有しており、前記放射状材および前記可撓骨材を内部に収容した状態とされ、前記放射状材が前記可撓骨材とともに開き方向に回動されると膨らまされるバルーンと、前記バルーン内に収容されるようにして前記支軸に支持された照明ランプとを有してなるバルーン型照明装置。
【請求項２】
前記支軸に対し昇降可能な昇降材と、一端部を前記放射状材に、他端部を前記昇降材にそれぞれ相対的に回動可能に結合された受け材とをさらに有してなり、前記支軸に対し前記昇降材が上昇されると、前記放射状材が開き方向に回動されるようになっている請求項１記載のバルーン型照明装置。
【請求項３】
伸縮可能な伸縮支柱をさらに有しており、この伸縮支柱が伸張されて行くと、前記支軸に対し前記昇降材が上昇されるようになっている請求項２記載のバルーン型照明装置。
【請求項４】
前記伸縮支柱は、互いに長さ方向にスライド可能に嵌合された複数の分節柱を有してなり、
ウインチと、このウインチにより巻き取られたり、繰り出されたりするケーブルと、各分節柱に回転可能に支持された滑車とをさらに有し、  前記ケーブルが前記滑車に巻き掛けられるとともに、前記ケーブルの先端部が最も上端側の前記分節柱に取り付けられており、前記ウインチにより前記ケーブルが巻き取られて行くと、前記伸縮支柱が伸張されることとなる方向に前記分節柱がスライドして行く一方、前記ウインチから前記ケーブルが繰り出されて行くと、前記伸縮支柱が収縮されることとなる方向に前記分節柱がスライドして行くようになっており、かつ前記伸縮支柱が伸張されて行く過程で前記伸縮支柱が前記昇降材を押し上げるようになっている請求項３記載のバルーン型照明装置。
【請求項５】
前記可撓骨材は透明な棒状材からなる請求項１，２，３または４記載のバルーン型照明装置。
【請求項６】
前記伸縮支柱内に通され、前記伸縮支柱とともに伸縮する電線保護管と、カールコードからなり、前記電線保護管内に通されており、前記ランプへ電力を供給する電線とをさらに有する請求項３，４または５記載のバルーン型照明装置。
【請求項７】
上下方向に延びる支軸と、この支軸の上端側に設けられた放射状材支持部と、前記支軸に対し一定範囲内において昇降可能な昇降材と、それぞれ横方向に延びる回動軸の回りに回動可能なように一端側を前記放射状材支持部に放射状に支持された複数の放射状材と、一端側を前記放射状材に、他端側を前記昇降材にそれぞれ相対的に回動可能に結合された受け材と、伸縮可能な伸縮支柱と、少なくとも一部が透光性を有しており、前記放射状材を内部に収容した状態とされ、前記放射状材が開き方向に回動されると膨らまされるバルーンと、前記バルーン内に収容されるようにして前記支軸に支持された照明ランプとを有してなり、
前記伸縮支柱が伸張されて行くと、前記伸縮支柱によって押し上げられることにより前記支軸に対し前記昇降材が上昇され、かつ前記支軸に対し前記昇降材が上昇されると、前記放射状材が開き方向に回動するようになっているバルーン型照明装置。
【請求項８】
上下方向に延びる支軸と、この支軸の上端側に設けられた放射状材支持部と、前記支軸に対し一定範囲内において昇降可能な昇降材と、それぞれ横方向に延びる回動軸の回りに回動可能なように一端側を前記放射状材支持部に放射状に支持された複数の放射状材と、一端側を前記放射状材に、他端側を前記昇降材にそれぞれ相対的に回動可能に結合された受け材と、伸縮可能であって前記支軸を相対的に上下方向に移動可能に支持する伸縮支柱と、装置設置面に対する前記支軸の下限位置を規定するストッパと、少なくとも一部が透光性を有しており、前記放射状材を内部に収容した状態とされ、前記放射状材が開き方向に回動されると膨らまされるバルーンと、前記バルーン内に収容されるようにして前記支軸に支持された照明ランプとを有してなり、
前記伸縮支柱が最も収縮した状態では前記支軸は前記ストッパにより規制されて下限位置にあり、この状態から前記伸縮支柱が伸張されて行くときは、前記伸縮支柱によって押し上げられることにより、まず前記支軸に対し前記昇降材が上昇され、前記放射状材が開き方向に回動するが、前記支軸に対し前記昇降材が最大限上昇した後は、前記支軸が前記昇降材と一体的に上昇する一方、前記伸縮支柱が最も伸張した状態から前記伸縮支柱が収縮されて行くときは、まず前記支軸が前記昇降材と一体的に下降するが、前記支軸が下限位置に至ると、前記支軸に対し前記昇降材が下降され、前記放射状材が閉じ方向に回動するようになっているバルーン型照明装置。
【請求項９】
前記伸縮支柱は、互いに長さ方向にスライド可能に嵌合された複数の分節柱を有してなり、
ウインチと、このウインチにより巻き取られたり、繰り出されたりするケーブルと、各分節柱に回転可能に支持された滑車とをさらに有し、前記ケーブルが前記滑車に巻き掛けられるとともに、前記ケーブルの先端部が最も上端側の前記分節柱に取り付けられており、
前記ウインチにより前記ケーブルが巻き取られて行くと、前記伸縮支柱が伸張されることとなる方向に前記分節柱がスライドして行く一方、前記ウインチから前記ケーブルが繰り出されて行くと、前記伸縮支柱が収縮されることとなる方向に前記分節柱がスライドして行くようになっている請求項７または８記載のバルーン型照明装置。
【発明の詳細な説明】
【０００１】
【発明の属する技術分野】
本発明は、工事現場等において用いられる、バルーン内に照明ランプが収容され、照明ランプからバルーンを通して外部に照明光が放射される形式の照明装置、すなわちバルーン型照明装置に関する。
【０００２】
【従来の技術】
従来より、この種のバルーン型照明装置としては、（ａ）バルーンにガスを充填してバルーンを膨張させるもの（例えば、特許文献１参照）、（ｂ）電気的空気吹き込み装置によりバルーン内に空気を吹き込んでバルーンを膨張させるもの（例えば、特許文献２参照）、（ｃ）傘の骨のような骨組みをバルーン内で広げることにより、バルーンを膨らませるものがあった。
【０００３】
【特許文献１】
特許第３２６７６２４号公報
【０００４】
【特許文献２】
特開平１０−１８８６２２号公報
【０００５】
【発明が解決しようとする課題】
しかしながら、前記（ａ）の形式のバルーン型照明装置においては、使用の度にバルーンにガスを充填する一方、収納・運搬の度にバルーンからガスを抜かなければならず、非常に面倒であるとともに、ガス圧が適正に管理されないと、バルーンが破裂する虞がある等の問題があった。
【０００６】
また、前記（ｂ）の形式のバルーン型照明装置においては、電気的空気吹き込み装置により装置が大型化するとともに、コストが高くなり、かつ使用中、継続的に電気的空気吹き込み装置を稼働しなければならないため、騒音が大きくなるという問題があった。
【０００７】
さらに、前記（ｃ）の形式のバルーン型照明装置においては、バルーンが丸く膨らまず、上または下から見て六角形状のような角張った形状となってしまい、照明ランプから周囲に光を均等に放射させることができないという問題があった。また、バルーンの下側にも、骨組を存在させる必要があり、光の放射の邪魔になるという問題もあった。さらに、照明ランプの高さを調整できなかったり、または照明ランプの高さを調整する作業とバルーンを膨らませる作業とを全く別個に行わなければならないという問題があった。
【０００８】
本発明は、このような従来の事情に鑑みてなされたもので、本発明の１つの目的は、バルーンにガスを充填したり、電気的空気吹き込み装置によりバルーン内に空気を吹き込むことなく、バルーンを丸く膨らませることができるバルーン型照明装置を提供することにある。
【０００９】
本発明の他の目的は、バルーンの下側には、バルーンを膨らませるための骨組が存在しないようにすることができるバルーン型照明装置を提供することにある。
【００１０】
本発明の他の目的は、バルーンにガスを充填したり、電気的空気吹き込み装置によりバルーン内に空気を吹き込むことなく、支柱を伸張して行くと、自動的にバルーンが膨らみ、かつバルーンが完全に膨らんだ状態からさらに支柱を伸張してバルーンひいては照明ランプの高さを調整することもできる一方、支柱を収縮して行くと、自動的にバルーンが萎んだ状態となるバルーン型照明装置を提供することにある。
【００１１】
本発明のさらに他の目的は、以下の説明から明らかになろう。
【００１２】
【課題を解決するための手段】
第一の本発明によるバルーン型照明装置は、上下方向に延びる支軸と、この支軸の上端側に設けられた放射状材支持部と、それぞれ横方向に延びる回動軸の回りに回動可能なように一端側を前記放射状材支持部に放射状に支持された６個以上の放射状材と、それぞれ可撓性を有しており、一端部を前記放射状材のうちの一つの先端側に、他端部を前記放射状材のうちの他の一つの先端側に取り付けられて湾曲状態とされた可撓骨材と、少なくとも一部が透光性を有しており、前記放射状材および前記可撓骨材を内部に収容した状態とされ、前記放射状材が前記可撓骨材とともに開き方向に回動されると膨らまされるバルーンと、前記バルーン内に収容されるようにして前記支軸に支持された照明ランプとを有してなるものである。
【００１３】
このバルーン型照明装置においては、傘を広げるときのように各放射状材を開き方向に回動させて行くと、各可撓骨材が全体に上方に持ち上げられるとともに外側に移動し、かつ各放射状材の先端部間の距離が大きくなるため、各可撓骨材がより大きなカーブを描いて湾曲するようになるので、バルーンが膨らんで行く。
【００１４】
これにより、バルーンにガスを充填したり、電気的空気吹き込み装置によりバルーン内に空気を吹き込むことなく、バルーンを膨らませることができる。
【００１５】
また、可撓性を有していて、湾曲状態とされた可撓骨材が上述のように広がることにより、バルーンが膨らむので、バルーンを従来のような角張った形状ではなく、ほぼ丸く膨らませることができる。したがって、照明ランプからバルーンを通して周囲に光を均等に放射させることができる。
【００１６】
また、バルーンの下側には、バルーンを膨らませるための骨組が存在しないようにして、光の放射の邪魔にならないようにすることができる。
【００１７】
使用後、装置を収納するときは、傘を閉じるときのように各放射状材を閉じ方向に回動させて行けば、各可撓骨材が下降されるとともに内側に移動し、かつより小さなカーブを描いて湾曲するようになるので、バルーンが萎んで行く。
【００１８】
第二の本発明によるバルーン型照明装置は、上下方向に延びる支軸と、この支軸の上端側に設けられた放射状材支持部と、前記支軸に対し一定範囲内において昇降可能な昇降材と、それぞれ横方向に延びる回動軸の回りに回動可能なように一端側を前記放射状材支持部に放射状に支持された複数の放射状材と、一端側を前記放射状材に、他端側を前記昇降材にそれぞれ相対的に回動可能に結合された受け材と、伸縮可能な伸縮支柱と、少なくとも一部が透光性を有しており、前記放射状材を内部に収容した状態とされ、前記放射状材が開き方向に回動されると膨らまされるバルーンと、前記バルーン内に収容されるようにして前記支軸に支持された照明ランプとを有してなり、前記伸縮支柱が伸張されて行くと、前記伸縮支柱によって押し上げられることにより前記支軸に対し前記昇降材が上昇され、かつ前記支軸に対し前記昇降材が上昇されると、前記放射状材が開き方向に回動するようになっているものである。
【００１９】
このバルーン型照明装置においては、支柱を伸張して行くと、自動的にバルーンが膨らむ。そして、バルーンが完全に膨らんだ状態からさらに支柱を伸張すれば、バルーンひいては照明ランプの高さを調整することができる。また、支柱を収縮して行くと、自動的にバルーンが萎んだ状態となる。
【００２０】
【発明の実施の形態】
以下、本発明を図面に示す実施例に基づいて説明する。
【００２１】
【実施例】
図１〜１１は、本発明の一実施例を示している。この実施例において、基台１にはキャスタ２が取り付けられている。また、前記基台１には、４つのアジャスタ支持脚３が該基台１の四隅から横方向に任意長さ引き出し可能に支持されており、各アジャスタ支持脚３には高さ調整のためのアジャスタ４が取り付けられている。前記基台１上には、後述する照明ランプに電力を供給するための発電機（図示せず）を載せることができるようになっている。
【００２２】
前記基台１には伸縮可能な伸縮支柱５が立設されており、この伸縮支柱５は、互いに長さ方向にスライド可能に嵌合された３本の角筒状の分節柱５ａ〜５ｃを有してなる。図５は、伸縮支柱５を伸縮させる機構を示している（実際の通りに忠実に図示すると、理解しにくくなるので、特にこの図５は、適宜簡略化したり、各部品の位置、寸法および角度を実際とは異なって描いたり、機械製図上は隠れ線で示すべきものを実線で示したりしていることに注意されたい）。下端部を基台１に固定された一番太い下段分節柱５ａの中間部にはウインチ６が取り付けられており、該下段分節柱５ａの上端部付近には滑車７が回転可能に支持されている。前記下段分節柱５ａに一定範囲内でスライド可能に支持された中位の太さの中段分節柱５ｂの下端部付近には滑車８、上端部付近には滑車９がそれぞれ回転可能に支持されている。前記ウインチ６のドラムに巻かれたケーブル１０は、中段分節柱５ｂに一定範囲内でスライド可能に支持された一番細い上段分節柱５ｃの下端部付近にその先端部を固定されるとともに、該先端部からウインチ６のドラム側へ向かって滑車９，８および７にこの順番で巻き掛けられている（なお、すべての滑車７〜９およびケーブル１０の一部は、伸縮支柱５内部に収容されており、実際には外部からは見えないので、機械製図上は図５において隠れ線で示すべきであるが、そうすると図面が分かりにくくなってしまうので、敢えて実線で示している）。
【００２３】
これにより、前記ウインチ６によりケーブル１０が巻き取られて行くと、まず、上段分節柱５ｃが中段分節柱５ｂに対し上昇して行き、やがて上段分節柱５ｃが中段分節柱５ｂに対し最大限上昇すると、次に中段分節柱５ｂが下段分節柱５ａに対し上昇して行く。したがって、ウインチ６によりケーブル１０が巻き取られて行くと、伸縮支柱５が伸張する。他方、ウインチ６からケーブル１０が繰り出されて行くと、まず、中段分節柱５ｂが下段分節柱５ａに対し下降して行き、やがて中段分節柱５ｂが下段分節柱５ａに対し最大限下降すると、次に上段分節柱５ｃが中段分節柱５ｂに対し下降して行く。したがって、ウインチ６からケーブル１０が繰り出されて行くと、伸縮支柱５が収縮される（なお、中段分節柱５ｂおよび上段分節柱５ｃの上昇および下降の順番は、中段分節柱５ｂおよび上段分節柱５ｃに作用する重力の大きさの関係により基本的には上述の順番となるが、分節柱５ａ〜５ｃ間の摩擦抵抗の大きさ等の要因により、その上昇および下降する順番が必ずしも上述の順番にならないこともある）。
【００２４】
前記上段分節柱５ｃの上端部には、該上端部を囲むようにして短い角筒状の昇降材押圧部１１が固定されている。前記伸縮支柱５内には、角筒状の支軸１２の下端側がスライド可能に挿入されており、これにより支軸１２は伸縮支柱５に相対的に上下方向に移動可能に支持されている。そして、図３および４のように伸縮支柱５が最も収縮した状態では、支軸１２の下端が基台１に当接されるようになっている（したがって、本実施例においては、基台１は装置設置面１３に対する支軸１２の下限位置を規定するストッパとしても機能する）。前記支軸１２の上端部には板状のランプ台１４が固定されており、このランプ台１４上にはメタルハライドランプ、ハロゲンランプ等からなる照明ランプ１５が取り付けられている。前記ランプ台１４には、照明ランプ１５の上方に位置するようにして、ステー１６を介して円板状の放射状材支持部１７が固定されている。
【００２５】
前記支軸１２には円板状の昇降材１８がその中心部においてスライド可能に嵌合されており、これにより昇降材１８は支軸１２に昇降可能に支持されている。前記放射状材支持部１７の外周部には、４５度間隔で８個の直線状の放射状材１９の一端部がそれぞれ横方向に延びる回動軸の回りに回動可能に支持されている（放射状材１９を回転可能に支持する放射状材支持部１７のブラケット部は図示を省略している）。各放射状材１９の他端部には直線状の受け材２０の一端部が相対的に回動に可能に結合されており、各受け材２０の他端部は昇降材１８の外周部に４５度間隔で、横方向に延びる回動軸の回りに回動可能に支持されている（受け材２０を回転可能に支持する昇降材１８のブラケット部は図示を省略している）。
【００２６】
前記放射状材１９のうちの放射状材支持部１７に互いに１３５度の間隔で支持されているものの先端部間には、それぞれ弾性および可撓性を有するポリカーボネート等の透明の樹脂棒からなる可撓骨材２１の両端部が取り付けられており、これにより合計８本の可撓骨材２１が湾曲状態で放射状材１９に取り付けられている（言い換えれば、各可撓骨材２１は、間に他の２本の放射状材１９を挟んだ２本の放射状材１９間に取り付けられており、各放射状材１９側から見れば、１つの放射状材１９の先端部に対し２本の可撓骨材２１の端部がそれぞれ取り付けられている）。
【００２７】
バルーン２２は、ポリエステル布等の透光性を有する布からなり、図１，８，１０および１１に示すように完全に膨らんだ状態では大略楕円体状をなすように縫製されており、前記ランプ台１４、照明ランプ１５、放射状材支持部１７、昇降材１８、放射状材１９、受け材２０および可撓骨材２１を内部に収容するように装着される。図１および１０に示されるように、前記バルーン２２の下部中心部には、伸縮支柱５を貫通させるための支柱貫通孔２３が設けられるとともに、この支柱貫通穴２３と同心状に環状の通気孔２４が設けられており、この通気孔２４は、バルーン２２内への異物の侵入を防止するため、メッシュ状の布２５で覆われている。前記バルーン２２の下部には、前記ランプ台１４等を内部に収容させる際に該バルーン２２を大きく開口するためのファスナー２６が通気孔２４を横断して設けられている。
【００２８】
前記支軸１２および伸縮支柱５内には、図６に示されるように、電気絶縁体からなる円筒状の太管２７ａおよび細管２７ｂを互いにスライド可能に嵌合してなり、伸縮支柱５とともに伸縮する電線保護管２７が通されている。前記太管２７ａの下端部は基台１に固定されており、細管２７ｂの上端部はランプ台１４に固定されている。前記電線保護管２７内には、照明ランプ１５に前記発電機から電力を供給するためのカールコードからなる伸縮可能な電線２８が通されている。
【００２９】
次に、本実施例の作動および使用方法を説明する。
【００３０】
図３および４は、支柱５を最も収縮した状態で、ファスナー２６を開けてバルーン２２を大きく開口し、ランプ台１４、照明ランプ１５、放射状材支持部１７、昇降材１８、放射状材１９、受け材２０および可撓骨材２１をバルーン２２内部に収容した後、ファスナー２６を閉じた状態を示している。この状態では、バルーン２２は萎んだ状態となっているとともに、支軸１２の下端が基台１に当接されている。
【００３１】
次に、ウインチ６を所定方向に回転し、ケーブル１０を巻き取って行くと、伸縮支柱５が伸張して行き、図７のように上段分節柱５ｃの上端部の昇降材押圧部１１が昇降材１８に当接して該昇降材１８を押し上げるので、上段分節柱５ｃと一緒に昇降材１８が支軸１２およびランプ台１４に対し上昇して行くようになる。これにより、傘を広げる場合と同様にして、受け材２０および放射状材１９が開き方向に回動し、各放射状材１９がその先端側を上昇させながら広がって行く。これにより、各可撓骨材２１も持ち上げられるとともに外側に移動し、かつより大きなカーブを描いて湾曲するようになるので、バルーン２２が膨らんで行く。このとき、バルーン２２内には通気孔２４から空気が流入して行く。なお、図７においては、図面を分かりやすくするため、放射状材１９および受け材２０は、互いに１３５度をなす位置に配置された２組のみを示しており、可撓骨材２１も前記２組の放射状材１９間に取り付けられた１本のみを示しているが、他の放射状材１９、受け材２０および可撓骨材２１も全く同様の動きを行う。
【００３２】
図８および９は、昇降材１８が支軸１２およびランプ台１４に対し最大限上昇し、放射状材１９および可撓骨材２１が完全に開き、バルーン２２が完全に膨らんだ状態を示している。このように昇降材１８が支軸１２に対し最大限上昇し、バルーン２２が完全に膨らんだ時点からさらにウインチ６によりケーブル１０を巻き取って行けば、図１および１１のように伸縮支柱５をさらに伸張し、バルーン２２が完全に膨らんだ状態のまま、バルーン２２および照明ランプ１５を所望の高さまで上昇させることができる。なお、この過程では、支軸１２が昇降材１８と一体的に上昇するようになるので、支軸１２の下端が基台１から離間して行く。
【００３３】
この照明装置においては、弾性および可撓性を有していて湾曲状態とされた可撓骨材２１が上述のように広げられることにより、バルーン２２が膨らませるので、骨組みをバルーン内で広げることによりバルーンを膨らませる形式の従来のバルーン型照明装置におけるようにバルーンが角張った形状に膨らむのではなく、ほぼ丸く膨らませることができる。したがって、照明ランプ１５からバルーン２２を通して周囲に光を均等に放射させることができる。
【００３４】
また、バルーン２２の下側には、バルーン２２を膨らませるための可撓骨材２１等の骨組が存在しないようにして、光の放射の邪魔にならないようにすることができる。
【００３５】
なお、可撓骨材２１は不透明な材質のものを用いてもよいが、その場合は照明ランプ１５点灯時、可撓骨材２１が影になって黒い筋のように見え、外観が悪くなる。しかるに、本実施例のように可撓骨材２１を透明とすれば、レンズ効果により、照明ランプ１５点灯時、可撓骨材２１の部分が光って見え、外観が美麗になる。
【００３６】
使用後、この照明装置を収納するときは、逆にウインチ６からケーブル１０を繰り出して支柱５を収縮させて行くと、前記と逆の過程が行われる。すなわち、伸縮支柱５が収縮して行くので、上段分節柱５ｃと一緒に昇降材１８が支軸１２およびランプ台１４に対し下降して行く。このとき、途中までは、支軸１２の下端が基台１から離間しているので、支軸１２が昇降材１８と一体的に下降するため、バルーンは完全に膨らんだ状態のまま下降して行く。
【００３７】
しかし、支軸１２の下端が基台１に当接する（支軸１２が下限位置に至る）と、支軸１２はそれ以上下降できなくなるので、支軸１２に対し昇降材１８が下降するようになるので、傘を閉じる場合と同様にして、受け材２０および放射状材１９が閉じ方向に回動し、各放射状材１９がその先端側を下降させながら閉じて行く。これにより、各可撓骨材２１も下降されるとともに内側に移動し、かつより小さなカーブを描いて湾曲するようになるので、バルーン２２が萎んで行き、照明装置は図３および４の状態に戻る。このとき、バルーン２２内の空気は通気孔２４から外部に流出する。その後は、ファスナー２６を開けてバルーン２２を大きく開口し、バルーン２２を装置から取り外すことができる。
【００３８】
なお、伸縮支柱５の伸縮とともに電線保護管２７およびカールコードからなる電線２８が伸縮するので、伸縮支柱５の伸縮によって照明ランプ１５に対する電力の供給に支障が生じることがなく、かつ電線２８が電線保護管２７および支柱５に二重に保護されていて外部には露出していないので、電線２８が外部の物体に触れて損傷し、ショートを生じる等の事故の虞がなく、安全であるとともに、外観を美麗にできる。
【００３９】
なお、前記各実施例では、バルーン２２全体を透光性としているが、必ずしもバルーン全体を透光性とする必要はなく、例えば、バルーンの上側内面に反射層を設け、この反射層により照明ランプからの光を下方に反射するようにしてもよい。
【００４０】
また、前記実施例では、伸縮支柱５を３本の分節柱５ａ〜５ｃにより構成しているが、伸縮支柱を２本または４本以上の分節柱により構成してもよい。
【００４１】
【発明の効果】
以上のように本発明は、
（イ）バルーンにガスを充填したり、電気的空気吹き込み装置によりバルーン内に空気を吹き込むことなく、バルーンを丸く膨らませることができる、
（ロ）バルーンの下側には、バルーンを膨らませるための骨組が存在しないようにすることができる、
（ハ）支柱を伸張して行くと、自動的にバルーンが膨らみ、かつバルーンが完全に膨らんだ状態からさらに支柱を伸張してバルーンひいては照明ランプの高さを調整することもできる一方、支柱を収縮して行くと、自動的にバルーンが萎んだ状態となるようにすることができる、
等の優れた効果を得られるものである。
【図面の簡単な説明】
【図１】バルーンを完全に膨らませるとともに伸縮支柱を大きく伸張させた状態において、本発明によるバルーン型照明装置の一実施例を示す斜視図である。
【図２】バルーンが膨らまされることとなる状態において、前記実施例の受け材、放射状材および照明ランプ付近を示す斜視図である（可撓骨材等は図示していない）。
【図３】伸縮支柱が最も収縮し、バルーンが萎んだ状態において前記実施例を示す正面図である。
【図４】伸縮支柱が最も収縮し、バルーンが萎んだ状態において前記実施例を示す側面図である。
【図５】前記実施例における伸縮支柱の伸縮機構を示す斜視図である。
【図６】前記実施例における電線および電線保護管を示す断面図である。
【図７】バルーンが膨らまされて行く過程において前記実施例を示す正面図である。
【図８】前記実施例を、バルーンが完全に膨らみ終わった時点で示す正面図である。
【図９】バルーンが完全に膨らまされた状態における前記実施例の受け材、放射状材および可撓骨材を示す平面図である。
【図１０】図８のＸ−Ｘ線における断面図である。
【図１１】前記実施例を、バルーンが完全に膨らまされた後、さらに上昇された状態で示す正面図である。
【符号の説明】
１    基台（ストッパ）
５    伸縮支柱
５ａ〜５ｃ  分節柱
６    ウインチ
７〜９  滑車
１０    ケーブル
１２    支軸
１３    装置設置面
１５    照明ランプ
１７    放射状材支持部
１８    昇降材
１９    放射状材
２０    受け材
２１    可撓骨材
２２    バルーン
２７    電線保護管
２８    電線
【図１】
2004253172.tif 000003
【図２】
2004253172.tif 000004
【図３】
2004253172.tif 000005
【図４】
2004253172.tif 000006
【図５】
2004253172.tif 000007
【図６】
2004253172.tif 000008
【図７】
2004253172.tif 000009
【図８】
2004253172.tif 000010
【図９】
2004253172.tif 000011
【図１０】
2004253172.tif 000012
【図１１】
2004253172.tif 000013